(57)【要約】【課題】形が定形でなく且つ小粒で数多くある物品をも添付する手段を備え、ペットボトルの首部に添付、嵌合した嵌合容器が輸送中に脱落せず、しかも、ペットボトルを効率的に箱詰め可能な嵌合容器を提供する。【解決手段】嵌合容器５は、添付物品１６が収納される容器本体６と、容器本体６の開口部を閉じる蓋部８とを備え、容器本体６の底部９における中央部９ａには、内周縁部がペットボトル１の首部３におけるフランジ部３ａと蓋体４との間の凹状部３ｂに係止される首部挿通孔が形成され、蓋部８には、ペットボトル１の蓋体４が挿通される蓋体挿通孔が形成されている。【選択図】図１
2005187059.tif 000002
【特許請求の範囲】
【請求項１】
瓶状容器の首部に装着される嵌合容器は、添付物品が収納される容器本体と、該容器本体の開口部を閉じる蓋部とを備え、前記容器本体の底部における中央部近傍には、内周縁部が瓶状容器の首部におけるフランジ部と前記首部に螺合された蓋体との間の凹状部に係止される首部挿通孔が形成され、前記蓋部には、前記蓋体が蓋部上部に突出するよう挿通される蓋体挿通孔が形成されていることを特徴とする嵌合容器構造。
【請求項２】
嵌合容器の底部は、下方へ延在する辺と、辺の下端に繋がる底部を形成する凸部とを備え、前記中央部及び辺の下方に形成された空間部には、瓶状容器の首部の下部に繋がる肩部の上部側が挿入されるように構成した請求項１記載の嵌合容器構造。
【請求項３】
嵌合容器が瓶状容器に所定状態に装着された際には、前記嵌合容器の最も高い位置と前記瓶状容器の蓋体の頂部は、略同一高さとなるよう構成されている請求項１、２記載の嵌合容器構造。
【請求項４】
嵌合容器の側板と平行な水平方向における最大寸法は、瓶状容器における容器本体の外径と略等しいか、該容器本体の外径よりも小さく形成されている請求項１、２又は３記載の嵌合容器構造。
【請求項５】
首部挿通孔を楕円形状とし、且つ、長径を瓶状容器の蓋体が通過することのできる最短寸法とし、短径を蓋体の最大外径よりも５ｍｍ以内の範囲で前記蓋体よりも小さく形成した請求項１、２、３又は４記載の嵌合容器構造。
【請求項６】
首部挿通孔の最大内径を、瓶状容器の蓋体が通過できる最短寸法とすると共に、首部挿通孔の内周に周方向へ所定の間隔で複数箇所の張出し部を形成し、張出し部の首部挿通孔径方向寸法を１ｍｍ以上で２．５ｍｍ以下とした請求項１、２、３又は４に記載の嵌合容器構造。
【発明の詳細な説明】
【技術分野】
【０００１】
本発明は、ペットボトルに対する嵌合容器の構造に関するもので、詳しくはおまけ物品、付味物品、付香物品等を収納してペットボトルに添付し得るようにした嵌合容器を備えた嵌合容器構造に関するものである。
【背景技術】
【０００２】
ペットボトルは、果汁飲料、茶飲料、炭酸飲料、ミネラルウォータ等の液体飲料の容器として利用されているが、これらの液体飲料をより一層特徴付けるために、近年、該液体飲料を充填したペットボトルの外部におまけ物品、付味物品、付香物品等を添付して販売することが行われている。
【０００３】
おまけを収納した嵌合容器をペットボトルに添付するようにした先行技術文献としては、特許文献１がある。特許文献１のおまけ用容器は、ペットボトルに入った物品におまけを付けて販売する際に、おまけを入れてペットボトルに取り付けるペットボトル用おまけ容器において、対向する一対の側面を開口した大四角柱と、この大四角柱の両底面の一部とこれらに挟まれた側面とを利用して大四角柱内に形成した小四角柱とからなり、大四角柱の一対の底面には、夫々ペットボトルの首部を挿入する首部挿入孔と、蓋体を突出させる蓋体孔とを形成すると共に、上記首部挿入孔の周囲に切込みによって首部押さえ片を形成し、首部挿入孔と蓋体孔とが共に小四角柱には重ならないで、互いが上下位置にあり、小四角柱内におまけを収納すると共に、首部挿入孔にペットボトルの首部を挿入して取付けるようにしたものである。
【０００４】
又、ペットボトルにおまけ物品、付味物品、付香物品等を添付して販売する簡易な方法としては、該おまけ物品、付味物品、付香物品等を袋詰め包装するか紙製、プラスチック製の箱形状の容器に収納して、包装品を形成し、該包装品をペットボトルにテープや接着剤を用いて貼付し、添付する方法が採用されている。
【特許文献１】特開２００１−１９９４４４号公報
【発明の開示】
【発明が解決しようとする課題】
【０００５】
特許文献１に開示されたペットボトル用おまけ容器においては、大四角柱を形成する第一の面に設けた首部挿入孔の周囲に切込みによって首部押え片を形成し、おまけ容器を首部挿入孔を介してペットボトルの首部に嵌合したときに、首部押え片の先端が、首部の鍔部下面に係止しておまけ容器がペットボトルの首部から脱落しないようにしている。
【０００６】
しかし、特許文献１の場合には、首部押え片の先端はペットボトル首部の外周に当接するが、首部押え片の第一の面側の基端部とペットボトルの首部外周との間には隙間がある。すなわち、首部押え片は、首部押え片が閉止する方向へは、ペットボトルの首部の外周によりその動きを制限されるが、首部押え片が開放する方向へは、ペットボトルの首部の径の変化によって動く結果、おまけ容器は、店頭に棚置きしたときに首部押え片の基端部がペットボトルの肩部に当接する位置まで下方へずれ、物品のイメージを低下させる虞がある。
【０００７】
又、特許文献１では、おまけ物品を収納する場所は小四角柱であるため、収納スペースが小さいという問題がある。
【０００８】
一方、従来方法により、簡易にペットボトルにおまけ物品、付味物品、付香物品等を袋詰め包装するか紙製、プラスチック製の箱に収納して、包装品を形成し、該包装品をペットボトルにテープや接着剤を用いて貼付する場合には、添付した包装品が輸送時に脱落し易く、且つ、包装品の形状が統一されていないため、包装用箱に収納する際に包装品が邪魔になり、包装用箱が変形したり、破損したりする虞があり、効率的に箱詰めすることができないという問題がある。
【０００９】
本発明は、上述の実情に鑑み、形が定形でなく且つ小粒で数多くあるおまけ物品、付味物品、付香物品をも添付し得られ、且つこれら物品の収納容量が大きく、しかも、輸送中にペットボトルに対する嵌合位置が大きく変化したり離脱することもなく、更に、嵌合させて添付した状態がどのペットボトルに対しても同じように取付けられて統一がとれ、効率的に箱詰めできる嵌合容器を提供することを目的としてなしたものである。
【課題を解決するための手段】
【００１０】
請求項１の嵌合容器構造においては、瓶状容器の首部に装着される嵌合容器は、添付物品が収納される容器本体と、該容器本体の開口部を閉じる蓋部とを備え、前記容器本体の底部における中央部近傍には、内周縁部が瓶状容器の首部におけるフランジ部と前記首部に螺合された蓋体との間の凹状部に係止される首部挿通孔が形成され、前記蓋部には、前記蓋体が蓋部上部に突出するよう挿通される蓋体挿通孔が形成されているものである。
【００１１】
請求項２の嵌合容器構造においては、嵌合容器の底部は、下方へ延在する辺と、辺の下端に繋がる底部を形成する凸部とを備え、前記中央部及び辺の下方に形成された空間部には、瓶状容器の首部の下部に繋がる肩部の上部側が挿入されるように構成したものである。
【００１２】
請求項３の嵌合容器構造においては、嵌合容器が瓶状容器に所定状態に装着された際には、前記嵌合容器の最も高い位置と前記瓶状容器の蓋体の頂部は、略同一高さとなるよう構成されている。
【００１３】
請求項４の嵌合容器構造においては、嵌合容器の側板と平行な水平方向における最大寸法は、瓶状容器における容器本体の外径と略等しいか、該容器本体の外径よりも小さく形成されている。
【００１４】
請求項５の嵌合容器構造においては、首部挿通孔を楕円形状とし、且つ、長径を瓶状容器の蓋体が通過することのできる最短寸法とし、短径を蓋体の最大外径よりも５ｍｍ以内の範囲で前記蓋体よりも小さく形成されている。
【００１５】
請求項６の嵌合容器構造においては、首部挿通孔の最大内径を、瓶状容器の蓋体が通過できる最短寸法とすると共に、首部挿通孔の内周に周方向へ所定の間隔で複数箇所の張出し部を形成し、張出し部の首部挿通孔径方向寸法を１ｍｍ以上で２．５ｍｍ以下としている。
【発明の効果】
【００１６】
本発明の請求項１〜６記載の嵌合容器構造によれば、下記のごとき種々の優れた効果を奏し得る。
Ｉ）首部挿通孔の内周縁部は首部のフランジと蓋体との間に形成される凹状部の外周に係止されていると共に、瓶状容器の容器本体２における肩部上部は、底部下方の空間部に挿入されており、しかも、底部の外側には凸部が形成されているため、故意に又は偶然に嵌合容器の側部に或る程度の力が作用しても、底部は凹状に変形することはなく、従って、嵌合容器が瓶状容器から脱落することはない。
ＩＩ）複数の瓶状容器を包装箱に収納する場合にも、嵌合容器が隣り合う瓶状容器に対して邪魔にならず、従って、変形、破損させることなく、効率的に嵌合容器を箱詰めすることができる。
ＩＩＩ）容器本体の収納容量を大きくすることができる。
ＩＶ）輸送中にペットボトルに対する嵌合位置が大きく変化しないため、店頭に陳列した場合に見栄えが良い。
Ｖ）添付物品としては、形が定形でなく、小粒で多数のものでも袋に入れて容易に容器本体内に収納することができる。
【発明を実施するための最良の形態】
【００１７】
以下、本発明の実施の形態を図示例と共に説明する。
図１及び図２は本発明を実施する形態の一例である。
図１中、１は瓶状容器であるペットボトルである。ペットボトル１は、液体飲料を収納するよう形成され、且つ上部は上方へ向けて絞られて肩部２ａが形成された容器本体２と、容器本体２の上端に一体的に設けられて外周に雄ネジが刻設された首部３と、首部３の雄ネジ部に螺合される蓋体４を備えている。首部３の雄ネジ部の下部には、フランジ部３ａが形成されている。
【００１８】
５はペットボトル１の首部３の蓋体４とフランジ部３ａとの間及び蓋体４に外嵌される紙製或はプラスチック製の嵌合容器である。嵌合容器５は、平面形状が略矩形状で箱状の容器本体６と、容器本体６の上縁部一辺に形成された蓋部折曲げ部７と、蓋部折曲げ部７を介して容器本体６の上面に開閉可能に接続された平板状の蓋部８とを備えており、蓋部８は容器本体６の上部開口を閉じ得るようになっている。
【００１９】
嵌合容器５の底部９は、略平坦に形成された中央部９ａと、中央部９ａから外方側に向けて下り勾配に形成された斜辺部９ｂと、斜辺部９ｂの下端に形成されて側板１０に繋がる凸部９ｃとを備えており、中央部９ａには、ペットボトル１における首部３が挿通されるようにした、楕円形の首部挿通孔１１が形成されている。又、底部５ａの中央部９ａ及び斜辺部９ｂ下部に形成される空間部１２には、容器本体２の肩部２ａ上部側が挿入されるようになっている。
【００２０】
嵌合容器５の蓋部８の中央部には、ペットボトル１の蓋体４の上部側が挿通し得るようにした蓋体挿通孔１３が形成されており、蓋部８の外周縁部には、蓋部８を容器本体６に被せた場合に、容器本体６の側板１０の外周上縁部に形成した縁部フランジ１４に当接して容器本体６の閉止を良好に行い得るよう、縁部フランジ１５が形成されている。
【００２１】
而して、本図示例においては、容器本体２の容量は例えば２ｌである。又、嵌合容器５の側板１０に沿った左右方向或は奥行き方向である、水平方向の最大寸法Ｗは、箱詰めを考慮して容器本体２の外径Ｄと略同一或は若干小さく形成されている（Ｗ≦Ｄ）。
【００２２】
嵌合容器５の底部９における中央部９ａに形成した楕円形の首部挿通孔１１の長径Ｄ１は、ペットボトル１の蓋体４が通過することのできる最短寸法とし、短径Ｄ２はペットボトル１の蓋体４の最大外径Ｄ３よりも、最大で５ｍｍ程度小さくしている。例えば、図示例においては、首部挿通孔１１の長径Ｄ１は約３２ｍｍφ、短径Ｄ２は約２８ｍｍφであり、ペットボトル１における蓋体４の最大外径Ｄ３は約３２ｍｍφである。
【００２３】
蓋部８の中央部に形成した蓋体挿通孔１３は円形であり、直径Ｄ４は蓋体４が通過できる最短寸法とする。具体的には、例えばＤ４≒Ｄ３とする。
【００２４】
又、図１に示すように、嵌合容器５を所定状態にペットボトル１の首部３及び蓋体４に装着した際には、嵌合容器５の最も高い位置は、蓋体４の頂部の高さ位置と略一致し、蓋体４の頂部と嵌合容器５の最も高い位置とに仮に線Ｌを引くと、該線Ｌは略水平となるように形成されている。
【００２５】
図中、１６はおまけ物品、付味物品、香味物品等を袋詰め包装して、嵌合容器５内に収納した添付物品である。添付物品としては、形が定形でなく且つ小粒で数多くある物品とすることができる。
【００２６】
次に、上記図示例の作動を説明する。
嵌合容器５をペットボトル１の首部３及び蓋体４に装着する際には、首部挿通孔１１及び蓋体挿通孔１３を塞がないよう容器本体６に添付物品１６を収納して、蓋部折曲げ部７を折り曲げ、蓋部８の縁部フランジ１５を容器本体６の縁部フランジ１４に重ね合わせて蓋部８を閉める。
【００２７】
次に、添付物品１６が収納された嵌合容器５を、容器本体６における底部９の中央部９ａに形成した首部挿通孔１１から、液体飲料が収納されて首部３に蓋体４が螺合されたペットボトル１の当該蓋体４に押込み、底部９における中央部９ａに形成した首部挿通孔１１の内周縁部をペットボトル１の首部３におけるフランジ部３ａと蓋体４との間の部分の凹状部３ｂ外周に係止させると共に、蓋体４の頂部を蓋部８の蓋体挿通孔１３に挿通させて蓋部８上方へ突出させる。
【００２８】
そうすると、蓋体４の頂部は、図１に示すごとく、嵌合容器５の最も高さの高い部分と略同一高さとなり、更に、容器本体２の肩部２ａの上部は、底部９の中央部９ａ及び斜辺部９ｂの下部に形成された空間部１２に挿入される。これで嵌合容器５のペットボトル１に対する装着は終了する。
【００２９】
本図示例によれば、容器本体６の底部９における首部挿通孔１１の内周縁部は、首部３のフランジ部３ａと蓋体４との間に形成される凹状部３ｂの外周に係止されていると共に、ペットボトル１の容器本体２における肩部２ａ上部は、底部９下方の空間部１２に挿入されており、しかも、底部９の外側には凸部９ｃが形成されているため、故意に又は偶然に嵌合容器５の側部に或る程度の力が作用しても、底部９は凹状に変形することはない。従って、嵌合容器５がペットボトル１から脱落することはない。
【００３０】
又、複数のペットボトル１を包装箱に収納する場合にも、嵌合容器５が隣り合うペットボトル１に対して邪魔にならず、又、嵌合容器５の上端が邪魔になることもない。従って、嵌合容器５を変形、破損させることなく、効率的に包装用箱に箱詰めすることができる。又、輸送中に嵌合容器５の位置が大きく変化しないため、店頭に陳列した場合に見栄えが良い。
【００３１】
更に、添付物品１６としては、形が定形でなく、小粒で多数のものでも袋に入れて容易に容器本体６内に収納することができるうえ、嵌合容器５内スペースの全体を添付物品の収納に使用することができるため、添付物品１６としては、形が定形でなく、小粒で多数のものの場合により一層便利であるうえ、容器本体６の収納スペースを大きくすることができる。
【００３２】
図３は容器本体６の底部における中央部に形成する首部挿通孔１１の他の例である。本図示例においては、最大開孔寸法はペットボトル１の首部に螺合された蓋体４が通過できる最短寸法とし、任意の形状の張出し部１１ａを円周方向へ一定の間隔で３箇所に設けている。張出し部１１ａの首部挿通孔１１における径方向の最大張出し長さＳは１ｍｍ以上で５ｍｍ以下とするのが好ましい。
【００３３】
図４は容器本体６の底部における中央部に形成する首部挿通孔１１の又他の例である。図４においては張出し部１１ａは円周方向へ４箇所設けられている。図５は、容器本体６の底部における中央部に形成する首部挿通孔１１の更に他の例である。図５においては張出し部１１ａは円周方向へ５箇所設けられている。図４、図５の場合も最大張出し長さＳは図３の場合と同様とする。
【００３４】
図２に示す首部挿通孔１１の場合に、嵌合容器５の底部９における中央部９ａに形成した楕円形の首部挿通孔１１の長径Ｄ１を、ペットボトル１の蓋体４が通過することのできる最短寸法とし、短径Ｄ２をペットボトル１の蓋体４の最大外径Ｄ３よりも、最大で５ｍｍ程度小さくし、図３〜図５に示す首部挿通孔１１の場合に、張出し部１１ａを１ｍｍ以上で５ｍｍ以下とするのは次のような理由による。
【００３５】
すなわち、長径Ｄ１と短径Ｄ２との差が少ない場合や、張出し部１１ａが１ｍｍ未満の場合は、ペットボトル１の首部３の凹状部３ｂに首部挿通孔１１の内周が係止している嵌合容器５が、首部３から容易に離脱する虞があり、短径Ｄ２が蓋体４の最大外径Ｄ４よりも５ｍｍ以上小さい場合や、張出し部１１ａが５ｍｍ以上の場合は、嵌合容器５をペットボトル１の首部３に嵌合するのが困難となるためである。
【００３６】
首部挿通孔１１の形状は、図２〜図５に示す何れの形状であっても、嵌合容器５をペットボトル１の首部に嵌合させた際には、首部挿通孔１１の内周縁部は、首部３のフランジ３ａと蓋体４との間の凹状部３ｂに確実に係止される。
【００３７】
なお、本発明の嵌合容器構造においては、瓶状容器をペットボトルとする場合について説明したが、ペットボトルに限らず、ビール瓶や酒瓶のような上部首部が絞られた形状の容器ならどのような形状の容器に対しても適用することができること、首部挿通孔は楕円形や非円形に限らず、円形としても実施可能なこと、その他、本発明の要旨を逸脱しない範囲内において種々変更を加え得ることは勿論である。
【図面の簡単な説明】
【００３８】
【図１】本発明の嵌合容器構造の実施の形態の一例を示す部分正面図である。
【図２】本発明の嵌合容器構造に適用する嵌合容器の蓋体を開いた状態で示す平面図である。
【図３】本発明の嵌合容器構造に適用する嵌合容器底部における首部挿通孔の他の形状例である。
【図４】本発明の嵌合容器構造に適用する嵌合容器底部における首部挿通孔の又他の形状例である。
【図５】本発明の嵌合容器構造に適用する嵌合容器底部における首部挿通孔の更に他の形状例である。
【符号の説明】
【００３９】
１    ペットボトル（瓶状容器）
２    容器本体
２ａ  肩部
３    首部
３ａ  フランジ部
３ｂ  凹状部
４    蓋体
５    嵌合容器
５ａ  底部
６    容器本体
８    蓋部
９    底部
９ａ  中央部
９ｂ  斜辺部（辺）
９ｃ  凸部
１０    側板
１１    首部挿通孔
１１ａ  張出し部
１２    空間部
１３    蓋体挿通孔
１６    添付物品
Ｄ    外径
Ｗ    最大寸法
Ｄ１  長径
Ｄ２  短径
Ｄ３  最大外径
【図１】
2005187059.tif 000003
【図２】
2005187059.tif 000004
【図３】
2005187059.tif 000005
【図４】
2005187059.tif 000006
【図５】
2005187059.tif 000007